(57)【要約】  被検者が覗くための検査窓と、前記検査窓を介して被検眼の眼屈折力を他覚的に測定する測定光学系と、前記検査窓を介して被検眼に対して固視標を呈示する固視標呈示光学系と、被検眼に対して呈示する固視標の呈示位置を光軸方向に変更する呈示位置変更手段と、被検眼に対する前記測定光学系の相対位置を検出する相対位置検出手段と、相対位置検出手段からの検出結果に基づいて前記測定光学系を被検眼に対して移動させることによって自動アライメントを作動させる駆動制御手段と、を備え、被検眼の眼屈折力を測定する眼屈折力測定装置であって、被検眼からの反射を検出する眼検出手段と、前記眼検出手段からの検出信号をトリガとして前記駆動制御手段による自動アライメントの作動を開始する制御手段と、を備える。
2016129499.tif 000002
【特許請求の範囲】
【請求項１】
被検者が覗くための検査窓と、
前記検査窓を介して被検眼の眼屈折力を他覚的に測定する測定光学系と、
前記検査窓を介して被検眼に対して固視標を呈示する固視標呈示光学系と、
被検眼に対して呈示する固視標の呈示位置を光軸方向に変更する呈示位置変更手段と、
被検眼に対する前記測定光学系の相対位置を検出する相対位置検出手段と、相対位置検出手段からの検出結果に基づいて前記測定光学系を被検眼に対して移動させることによって自動アライメントを作動させる駆動制御手段と、
を備え、被検眼の眼屈折力を測定する眼屈折力測定装置であって、
被検眼からの反射を検出する眼検出手段と、
前記眼検出手段からの検出信号をトリガとして前記駆動制御手段による自動アライメントの作動を開始する制御手段と、
を備えることを特徴とする眼屈折力測定装置。
【請求項２】
前記制御手段は、さらに、前記眼検出手段からの検出信号をトリガとして、前記自動アライメント手段によるアライメントが完了される前に前記測定光学系によって被検眼の眼屈折力を自動的に測定し、前記測定結果に対応する位置に前記固視標を移動させることを特徴とする請求項１の眼屈折力測定装置。
【請求項３】
前記制御手段は、前記自動アライメント手段によるアライメントが完了された後、前記測定光学系によって被検眼の眼屈折力を自動的に測定し、前記測定結果に基づいて前記固視標の位置を調整すると共に、
前記調整後での眼屈折力の測定結果に基づいて眼屈折値を出力することを特徴とする請求項１〜２のいずれかの眼屈折力測定装置。
【請求項４】
前記固視標呈示光学系は、
前記測定光学系の光軸方向から限定された光束径によって形成される第１の固視標を被検眼に投影する第１投影光学系と、
前記第１投影光学系よりも大きい光束径によって形成される第２の固視標を被検眼に投影する第２投影光学系と、を備えることを特徴とする請求項１〜３のいずれかの眼屈折力測定装置。
【請求項５】
請求項４の眼屈折力測定装置において、
前記眼位置検出手段及び前記相対位置検出手段の少なくともいずれかからの検出結果に基づいて前記固視標呈示光学系を制御し、前記第１の固視標から前記第２の固視標に切り換えることを特徴とする請求項４の眼屈折力測定装置。
【請求項６】
前記検査窓とは異なる位置に配置され、前記測定光学系による測定眼とは異なる他眼を撮像する撮像手段と、
前記測定光学の位置を検出する位置検出手段と、
前記撮像手段からの撮像結果と、前記位置検出手段からの検出結果と、に基づいて被検眼の瞳孔間距離を測定する瞳孔間距離測定手段と、
を備えることを特徴とする請求項１〜５のいずれかの眼屈折力測定装置。
【請求項７】
前記瞳孔間距離測定手段は、前記撮像手段からの撮像結果に基づいて前記他眼の位置を検出すると共に、前記自動アライメント手段によるアライメントが完了された状態での前記測定眼の位置を前記位置検出手段からの検出結果に基づいて検出することを特徴とする請求項６の眼屈折力測定装置。
【請求項８】
前記眼検出手段は、前記検査窓を覗く被検眼からの反射を検出することを特徴とする請求項１〜７のいずれかの眼屈折力測定装置。
【請求項９】
前記制御手段は、前記眼検出手段によって被検眼からの反射が検出される前段階において、予め被検眼に対して固視標を予め呈示すると共に、
前記固視標が予め呈示された被検眼に対し、前記眼検出手段からの検出信号をトリガとして前記駆動制御手段によるアライメントを開始することを特徴とする請求項１〜８のいずれかの眼屈折力測定装置。
【請求項１０】
前記検査窓は、装置筐体に対して固定された位置に設けられており、
前記測定光学系を備える測定部は、前記装置筐体の内部に設けられており、前記検査窓に対して移動可能であることを特徴とする請求項１〜９のいずれかの眼屈折力測定装置。
【請求項１１】
前記測定部は、前眼部を観察するための前眼部観察光学系であって、前記測定光学系と同軸に配置された前眼部観察光学系を、前記眼検出手段として備え、
前記駆動制御手段は、前記被検眼からの反射が検出される前段階において、前記前眼部観察光学系及び前記測定光学系の光軸が前記検査窓を通過する位置に前記測定部を待機させていることを特徴とする請求項１０の眼屈折力測定装置。
【請求項１２】
被検者が覗くための検査窓と、
前記検査窓を介して被検眼の眼屈折力を他覚的に測定する測定光学系と、
前記測定光学系を被検眼に対して移動させる駆動手段と、
を備え、被検眼の眼屈折力を測定する眼屈折力測定装置であって、
前記検査窓とは異なる位置に配置され、前記測定光学系による測定眼とは異なる他眼を撮像する撮像手段と、
前記測定光学の位置を検出する位置検出手段と、
前記撮像手段からの撮像結果と、前記位置検出手段からの検出結果と、に基づいて被検眼の瞳孔間距離を測定する瞳孔間距離測定手段と、
を備えることを特徴とする眼屈折力測定装置。
【発明の詳細な説明】
【技術分野】
【０００１】
本開示は、被検眼の眼屈折力を他覚的に測定する眼屈折力測定装置に関する。
【背景技術】
【０００２】
被検眼の眼屈折力を他覚的に測定する眼屈折力測定装置において、検者の手間を軽減する試みとして、例えば、特許文献１が知られている。特許文献１は、顎受けに設けられたタッチセンサからの検知信号をトリガとして、被検眼に対するアライメントの動作を開始する。また、特許文献１では、被検眼の瞳孔間距離の測定に際し、両眼撮影可能なカメラを用いている。
【先行技術文献】
【特許文献】
【０００３】
【特許文献１】特開２００６−２８０６１２
【発明の概要】
【０００４】
しかしながら、特許文献１の構成の場合、必ず、タッチセンサを設ける必要がある。また、瞳孔間距離の測定において、必ず、両眼撮影可能なカメラが必要となる。
【０００５】
本発明は、従来技術の少なくとも一つの問題点を解決することを技術課題とする眼屈折力測定装置を提供することを技術課題とする。
【０００６】
上記課題を解決するために、本開示は、以下のような構成を備えることを特徴とする。
【０００７】
（１）  被検者が覗くための検査窓と、前記検査窓を介して被検眼の眼屈折力を他覚的に測定する測定光学系と、前記検査窓を介して被検眼に対して固視標を呈示する固視標呈示光学系と、被検眼に対して呈示する固視標の呈示位置を光軸方向に変更する呈示位置変更手段と、被検眼に対する前記測定光学系の相対位置を検出する相対位置検出手段と、相対位置検出手段からの検出結果に基づいて前記測定光学系を被検眼に対して移動させることによって自動アライメントを作動させる駆動制御手段と、を備え、被検眼の眼屈折力を測定する眼屈折力測定装置であって、被検眼からの反射を検出する眼検出手段と、前記眼検出手段からの検出信号をトリガとして前記駆動制御手段による自動アライメントの作動を開始する制御手段と、を備えることを特徴とする眼屈折力測定装置。
（２）  被検者が覗くための検査窓と、前記検査窓を介して被検眼の眼屈折力を他覚的に測定する測定光学系と、前記測定光学系を被検眼に対して移動させる駆動手段と、を備え、被検眼の眼屈折力を測定する眼屈折力測定装置であって、前記検査窓とは異なる位置に配置され、前記測定光学系による測定眼とは異なる他眼を撮像する撮像手段と、前記測定光学の位置を検出する位置検出手段と、前記撮像手段からの撮像結果と、前記位置検出手段からの検出結果と、に基づいて被検眼の瞳孔間距離を測定する瞳孔間距離測定手段、を備えることを特徴とする眼屈折力測定装置。
【０００８】
本開示によれば、従来技術の少なくとも一つの問題点を解決できる。
【図面の簡単な説明】
【０００９】
【図１】本実施形態に係る装置の外観の一例を示す図である。
【図２】本実施形態に係る光学系及び制御系の一例を示す図である。
【図３】本実施形態に係る装置の動作の一例を示すフローチャートである。
【図４】本実施形態に係る装置にて瞳孔間距離を測定する際の一例を示す説明図であ    る。
【発明を実施するための形態】
【００１０】
本開示の実施形態の一例について図面に基づいて説明する。
【００１１】
図１は、本実施形態に係る装置の外観の一例を示す図である。眼屈折力測定装置（以下、装置）１は、検査窓２と、測定部３と、を少なくとも備える。検査窓２は、被検者の測定眼が覗くための窓であり、例えば、装置１の筐体に対して固定された位置（例えば、被検者側筐体）にて設けられる。
【００１２】
測定部３は、装置１の内部に設けられ、測定光学系１０を内蔵する。駆動部６は、測定部３を被検眼に対して移動するために設けられる。駆動部６は、測定部３を移動させるために、アクチュエータ（例えば、モータ）を備える。駆動部６は、例えば、測定部３を被検眼に対して３次元的に移動させてもよい。この場合、駆動部６は、左右方向（Ｘ方向）、前後方向（Ｚ方向）、上下方向（Ｙ方向）に関して、測定部３を移動させる。また、検査窓２が装置筐体に固定された場合、駆動部６は、検査窓２に対して測定部３を移動させる。
【００１３】
装置１の被検者側筐体面には、検査窓２に加え、他眼撮像光学系２００が設けられてもよい。他眼撮像光学系２００は、測定光学系１０によって測定される測定眼とは異なる他眼を撮像するために設けられる。他眼撮像光学系２００は、検査窓２とは異なる位置に配置される。他眼撮像光学系２００は、撮像素子２０２を備えてもよい。
【００１４】
装置１の被検者側筐体面には、額当４が設けられてもよい。額当４は、例えば、被検者の顔を安定させるために設けられる。なお、本実施形態では、被検者が検査窓２を覗きやすくするために顎受を備えていないが、もちろん顎受が設定されてもよい。
【００１５】
装置１の被検者側筐体面には、表示部７０が設けられてもよい。表示部７０には、例えば、測定光学系１０による測定結果が表示される。この場合、表示部（表示画面）７０は、測定部３と同じ高さに配置されてもよい。これにより、被検者は、測定光学系１０による測定位置に対して、顔の高さを移動させることなく、表示部７０の表示画面を見ることができる。なお、表示部７０は、タッチパネルであってもよく、被検者からの操作を受け付ける操作受付部として用いられてもよい。
【００１６】
また、装置１の被検者側筐体面には、操作部３００が設けられてもよい。操作部３００は、例えば、測定結果が良好か否かを確認するために用いられてもよいし、測定における各種設定を行うために用いられてもよい。
【００１７】
図２は、本実施形態に係る光学系及び制御系の一例を示す図である。測定部３には、測定光学系１０、固視標呈示光学系３０と、が少なくとも設けられる。さらに、測定部３には、被検眼に対するアライメント検出を行うための構成として、リング指標投影光学系４５と、作動距離指標投影光学系４６と、観察光学系（撮像光学系）５０と、が設けられている。
【００１８】
測定光学系１０は、例えば、検査窓を介して被検眼の眼屈折力を他覚的に測定するために設けられる。測定光学系１０は、投影光学系（投光光学系）１０ａと、受光光学系１０ｂと、を有している。投影光学系１０ａは、例えば、被検眼（測定眼）Ｅの瞳孔を介して被検眼Ｅの眼底Ｅｆに測定指標を投光するために設けられる。受光光学系１０ｂは、例えば、投影光学系１０ａによって投影された測定指標による眼底反射光を受光するために設けられる。なお、測定光学系１０の光学配置としては、オートレフラクトメータに用いられる周知の光学系を用いることができる。以下にその一例を示す。
【００１９】
より詳細には、投影光学系１０ａは、測定光学系１０の光軸Ｌ１上に配置された、測定光源１１と、リレーレンズ１２と、ホールミラー１３と、対物レンズ１４と、を含む。
【００２０】
光源１１は、被検眼Ｅの瞳孔中心部を介して眼底Ｅｆにスポット状の測定視標を投影するための光源である。光源１１は、正視眼の眼底Ｅｆと光学的に共役な位置関係となっている。
【００２１】
ホールミラー１３は、リレーレンズ１２を介した光源１１からの光束を通過させる開口が設けられている。ホールミラー１３は、眼Ｅの瞳孔と光学的に共役な位置関係となっている。
【００２２】
受光光学系１０ｂは、投影光学系１０ａのホールミラー１３と、対物レンズ１４と、が投影光学系１０ａと共用されている。また、受光光学系１０ｂは、ホールミラー１３の反射方向の光軸Ｌ２上に配置された、リレーレンズ１６と、全反射ミラー１７と、全反射ミラー１７の反射方向の光軸Ｌ２上に配置された受光絞り１８と、コリメータレンズ１９と、リングレンズ２０と、エリアＣＣＤ等からなる二次元撮像素子２２（以下、「撮像素子２２」と称す）と、を含む。
【００２３】
受光絞り１８及び撮像素子２２は、眼底Ｅｆと光学的に共役な位置関係となっている。リングレンズ２０は、眼底反射光をリング状に形成するための光学素子である。リングレンズ２０は、リング状に形成されたレンズ部と、レンズ部以外の領域に遮光用のコーティングを施した遮光部と、を有している。また、リングレンズ２０は、被検眼Ｅの瞳孔と光学的に共役な位置関係となっている。リングレンズ２０を介したリング状の眼底反射光（即ち、二次元パターン像）は、撮像素子２２で受光される。撮像素子２２は、受光した二次元パターン像の画像情報を、演算制御部１００（以下、制御部１００と称す）に出力する。これによって、二次元パターン像を表示部７０に表示させたり、二次元パターン像に基づいて被検眼Ｅの屈折力を算出することが可能となる。
【００２４】
なお、測定光学系１０は上記のものに限らず、被検眼眼底Ｅｆに向けて測定光を投光する投光光学系と、測定光の眼底Ｅｆでの反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式の装置が利用されてもよい（例えば、スリットを投影する位相差方式の装置）。
【００２５】
対物レンズ１４とホールミラー１３との間には、ビームスプリッタ２９が配置されている。ビームスプリッタ２９は、後述の固視標呈示光学系３０からの光束を被検眼Ｅに導き、被検眼Ｅの前眼部Ｅｃからの反射光を観察光学系５０に導く。また、ビームスプリッタ２９は、光源１１から出射され、眼底Ｅｆで反射された眼底反射光を透過し、受光光学系１０ｂへと導く。
【００２６】
固視標呈示光学系３０は、検査窓２を介して被検眼に対して固視標を呈示するために設けられる。固視標呈示光学系３０は、例えば、可視光源３１と、固視標を持つ固視標板３２と、投光レンズ３３と、ビームスプリッタ２９と、対物レンズ１４と、を含む。可視光源３１が点灯されることで、固視標板３２が有する固視標が、被検眼Ｅに呈示される。可視光源３１及び固視標板３２は、図示しないスライド機構によって、光軸Ｌ３方向に移動可能に構成されている。可視光源３１及び固視標板３２が光軸Ｌ３方向に移動されることによって、被検眼Ｅの雲霧が行われる。なお、固視標の呈示位置を光軸方向に移動させる場合、レンズ系を移動させるようにしてもよい。
【００２７】
被検眼Ｅの前眼部の前方には、リング指標投影光学系４５と、作動距離指標投影光学系４６とが配置されている。リング指標投影光学系４５は、被検眼Ｅの角膜Ｅｃに対してリング指標を投影するための近赤外光を発する光学系である。なお、角膜Ｅｃに投影するリング指標は、角膜形状測定用の指標としても利用できる。また、リング投影光学系４５は、被検眼Ｅの前眼部を照明する前眼部照明としても用いることもできる。一方、作動距離指標投影光学系４６は、被検眼Ｅの角膜Ｅｃに無限遠指標を投影するための近赤外光を発する光学系である。角膜Ｅｃに対する無限遠指標の位置に基づいて、被検眼Ｅに対する検眼装置１の位置をアライメントすることができる。
【００２８】
観察光学系（撮像光学系）５０は、対物レンズ１４と、ビームスプリッタ２９と、が固視標呈示光学系３０と共用され、ハーフミラー３５と、撮像レンズ５１と、二次元撮像素子（以下、撮像素子）５２と、を含む。二次元撮像素子５２は、被検眼Ｅの前眼部と略共役な位置に配置された撮像面を持つ。この二次元撮像素子５２によって、被検眼Ｅの前眼部画像が撮像される。二次元撮像素子５２からの出力は、制御部１００に入力され、その結果、二次元撮像素子５２によって撮像される被検眼Ｅの前眼部像が、モニタ７０上に表示される。なお、本実施形態では、観察光学系５０が、作動距離指標投影光学系４６によって被検眼Ｅの角膜に形成されるアライメント指標像を検出する光学系を兼ねている。二次元撮像素子５２によるアライメント指標像の撮像結果に基づいてアライメント指標像の位置が検出される。
【００２９】
次に、装置１の制御系について説明する。装置１は、主な制御系として、制御部１００を有している。制御部１００は、装置１の各部の制御処理と、測定結果の演算処理とを行う電子回路を有する処理装置である。制御部１００は、光源１１，３１、撮像素子２２、撮像素子５２、撮像素子２０２と、駆動部６、表示部７０、操作部３００、メモリ１０５、位置検出センサ４００のそれぞれに電気的に接続されている。
【００３０】
制御部１００は、ＣＰＵ１０１と、ＲＯＭ１０２と、ＲＡＭ１０３とを備えている。ＣＰＵ１０１は、装置１に関する各種の処理を実行するための処理装置である。ＲＯＭ１０２は、ＣＰＵ１０１が眼科装置１の各種制御を行うための制御プログラムおよび固定データが格納された、不揮発性の記憶装置である。
【００３１】
ＲＡＭ１０３は、書き換え可能な揮発性の記憶装置である。ＲＡＭ１０３には、例えば、眼科装置１による被検眼Ｅの測定に用いる一時データが格納される。
【００３２】
メモリ１０５は、例えば、書き換え可能な不揮発性の記憶装置である。メモリ１０５には、本装置を動作させるためのプログラムが少なくとも格納されている。
【００３３】
位置検出センサ４００は、測定部３の位置を検出するためのセンサである。位置検出センサ４００は、被検者の瞳孔間距離を測定する際の、左右方向に関する測定眼の位置を検出するために用いられる。位置検出センサ４００としては、例えば、測定部３が所定位置にあるか否かを検出する原点センサを駆動部６付近に設け、駆動部６の左右方向に関するアクチュエータとして、回転数の検出が可能なモータを用いることが考えられる。また、これに限定されず、位置検出センサ４００としては、ポテンショメータ又はロータリーエンコーダを用いて測定部３の位置を検出するセンサであってもよい。
＜動作＞
上記構成を備える装置において、その動作について説明する。図３は、本実施形態に係る装置の動作の一例を示すフローチャートである。
【００３４】
検者は、測定の前準備として、操作部を操作して、各種設定を行う。例えば、被検者を識別するための識別情報を設定する。この場合、制御部１００は、報知部を制御し、操作説明を行うようにしてもよい。報知部としては、例えば、表示部４００が考えられる。この場合、表示部４００の代わりとして、音声発生部を設け、音声による説明を行うようにしてもよい。
【００３５】
各種設定が完了されると、制御部１００は、検査窓を覗くように、被検者を誘導する（例えば、検査窓を覗いてもらう旨のメッセージを報知する）。被検者が検査窓を覗くことによって、前眼部照明による被検眼からの反射光が、撮像素子５２によって検出された状態となる。
【００３６】
＜被検眼からの反射光の検出＞
制御部１００は、撮像素子５２からの撮像信号に基づいて、被検眼からの反射光の検出処理を実行する。被検眼からの反射光としては、例えば、被検眼に投光されたアライメント指標による反射光（例えば、リング指標Ｒ）であってもよいし、前眼部照明によって前眼部像を形成する前眼部反射光（前眼部像Ｅａ）であってもよい。
【００３７】
より詳細には、制御部１００は、被検眼に投光されたアライメント指標による反射光（例えば、角膜反射輝点）を検出する処理を実行し、反射光の検出の有無を判定するようにしてもよい。また、制御部１００は、前眼部照明によって照明された被検眼の特徴部分（例えば、瞳孔、虹彩等）を画像処理によって抽出する処理を実行し、特徴部分の検出の有無を判定するようにしてもよい。なお、制御部１００は、被検眼からの反射光の検出処理に際して、被検眼の位置検出を開始するようにしてもよい（詳しくは、後述する）。
【００３８】
上記検出処理において、制御部１００は、被検眼からの反射光が検出されたと判定されると、これをトリガとして、被検眼に対する自動アライメントを作動させると共に、測定光学系による眼屈折力の仮測定及び固視位置制御を開始する。この場合、自動アライメント及び仮測定は、同時に開始されてもよいし、どちらかが最初に開始されてもよい。
【００３９】
＜自動アライメント作動＞
自動アライメントを作動させる場合、制御部１００は、所定のアライメント検出手法によって、撮像素子５２からの撮像信号に基づいて被検眼に対する測定部３のアライメント状態を検出する。これによって、被検眼に対する測定光学系１０の相対位置が検出される。
【００４０】
より詳細には、制御部１００は、例えば、リング指標Ｒの中心座標に基づいて被検眼に対する上下左右方向のアライメント状態を求めてもよい。また、制御部１００は、測定部３が作動距離方向にずれた場合に、前述の無限遠指標Ｍの間隔がほとんど変化しないのに対して、リング指標Ｒの所定経線方向の像間隔が変化するという特性を利用して、被検眼に対する作動距離方向のアライメント状態を求めてもよい（例えば、特開平６−４６９９９号参照）。なお、アライメント検出手法は、上記手法に限定されず、被検眼に対するアライメント状態を検出できる手法であればよい。例えば、被検眼の特徴部分の位置を画像処理によって検出するようにしてもよい。また、観察光学系５０とは異なる受光素子を設け、受光素子からの受光信号に基づいてアライメント状態を検出してもよい（例えば、被検眼に対して斜め方向からアライメント光を照射し、アライメント光による反射光を斜め反対方向から検出してもよい）。
【００４１】
制御部１００は、アライメント状態の検出結果に基づいて駆動部６を制御し、測定部３を被検眼に向けて移動させる。より詳細には、制御部１００は、撮像素子５２からの撮像信号に基づいて被検眼に対する位置ずれ量を検出し、検出される位置ずれ量が許容範囲を満たすように、駆動部６を制御する。この場合、制御部１００は、必ずしも位置ずれ量を検出する必要はなく、アライメントずれの方向を検出し、アライメントずれが補正される方向に測定部３を移動させてもよい。
【００４２】
＜仮測定及び固視位置制御＞
仮測定において、制御部１００は、反射光検出のトリガ信号に基づき測定光学系を制御し、被検眼の眼屈折力を測定する。より詳細には、制御部１００は、反射光検出のトリガ信号に基づき光源１１を点灯させてもよい。光源１１から出射された測定光は、リレーレンズ１２〜対物レンズ１４を介して、ダイクロイックミラー１５を透過したのち、被検眼の瞳孔を介して、被検眼Ｅの眼底に投影される。そして、眼底からの反射光は、被検眼の瞳孔、ダイクロイックミラー１５を介して、対物レンズ１４によって集光され、ホールミラー１３から全反射ミラー１７までを介して受光絞り１８の開口上で再び集光され、コリメータレンズ１９にて略平行光束（正視眼の場合）とされ、リングレンズ２０によってリング状光束として取り出され、リング像として撮像素子２２に受光される。そして、制御部７０は、撮像素子２２によって撮像されたリング像の像位置に基づいて被検眼の眼屈折値を演算する。
【００４３】
次に、制御部１００は、固視標が被検眼の眼底と共役な位置にくるように、前述のようにして得られた被検眼の眼屈折値に応じて固視標の呈示位置を移動させる。これにより、強度の近視眼や遠視眼の被検者であっても、固視状態を安定させることができる。例えば、自動アライメント完了までの時間を短縮させることができ、眼屈折力の本測定をスムーズに行うことができる。
【００４４】
＜眼屈折力の本測定開始＞
ここで、制御部１００は、ＸＹＺ方向のアライメント状態がそれぞれ所定の許容範囲に入っているか否かによって、被検眼に対する測定部３のアライメント状態が適正であるか否かを判定し、適正であれば、自動的にトリガ信号（測定開始信号）を発して眼屈折力測定の本測定を行い、本測定の測定結果を表示部に出力する。この場合、制御部は、得られた測定結果を、外部の装置（例えば、自覚用検眼器）に出力するようにしてもよい。なお、自覚用検眼器としては、自覚式レフラクター等がありうる。また、本実施形態の測定光学系に自覚測定機能を設け、自覚測定を行う際の初期値として、得られた測定結果が用いられてもよい。
【００４５】
なお、アライメント状態が許容範囲を満たした後、本測定を行う前段階において、制御部１００は、眼屈折力の予備測定を再度行ってもよい。この場合、制御部１００は、その結果に基づいて固視標が被検眼の眼底と共役な位置にくるように固視標の呈示位置を移動させたのち、さらに、適用なディオプター分だけ、雲霧がかかるように移動させる。制御部は、被検眼に雲霧がかかった状態で、眼屈折力を測定し、その測定結果を表示部に出力する。
【００４６】
以上のようにして片眼の測定が完了されると、制御部１００は、反対の眼にて検査窓２を覗く旨のメッセージを報知する。その後、片眼と同様に、制御部１００は、他方の眼の眼屈折力を測定するための制御を実行する。
【００４７】
その後、両眼での眼屈折力の測定結果が得られると、制御部１００は、両眼での測定結果を表示部７０に表示するようにしてもよい。また、制御部１００は、得られた両眼での測定結果を、外部の装置（例えば、自覚用検眼器）に出力するようにしてもよい。なお、自覚用検眼器としては、自覚式レフラクター等がありうる。また、本実施形態の測定光学系に自覚測定機能を設け、自覚測定を行う際の初期値として、得られた測定結果が用いられてもよい。
【００４８】
上記説明において、被検眼からの反射が検出される前段階において、被検眼に対して固視標が予め呈示されていることが好ましい。これによれば、例えば、検査窓を覗いた際の被検者の固視方向が誘導されるので、測定光学系の移動可能範囲内への誘導がスムーズに行われる。なお、固視標が呈示されるトリガとしては、例えば、上記設定作業の開始又は完了等が考えられる。
【００４９】
＜瞳孔間距離の測定＞
以下に、追加的動作として、被検者の瞳孔間距離を測定する場合について説明する。図４は、本実施形態に係る装置にて瞳孔間距離を測定する際の一例を示す説明図である。本実施形態では、一方の眼の眼屈折力を測定する際に瞳孔間距離を測定できる構成となっている。
【００５０】
制御部１００は、位置検出センサ４００からの検出結果と撮像素子２０２からの撮像結果とに基づいて、被検眼の瞳孔間距離を測定してもよい。なお、得られた測定結果は、眼屈折力の測定結果と同様、表示部７０、あるいは外部の装置に出力されてもよい。
【００５１】
より詳細には、制御部は、位置検出センサ４００からの検出結果に基づいて測定眼の位置を検出する一方、撮像素子２０２からの撮像結果に基づいて他眼の位置を検出する。測定眼の位置を検出する場合、例えば、制御部は、上記自動アライメント制御にて被検眼に対するアライメントが完了された状態での測定部３の位置を取得する。他眼の位置を検出する場合、例えば、制御部１００は、上記自動アライメント制御にて被検眼に対するアライメントが完了された状態にて他眼を撮像する。制御部１００は、撮像された画像に基づいて他眼の位置を検出する。他眼の位置を検出する手法としては、測定眼に対する測定光学系の相対位置を検出する手法と同様の手法を用いることができる。
【００５２】
瞳孔間距離を求める場合、例えば、測定部３の位置と、撮像光学系２００の光軸に対する測定部３の距離との対応関係が予め求められ、メモリ１０５に予め記憶される。これによって、制御部１００は、測定部３の位置を取得することによって撮像光学系２００の光軸Ｌ２００に対する測定眼の距離Ａを求めることができる。さらに、制御部１００は、撮像光学系２００の光軸に対する他眼の距離Ｂを求めることができる。制御部１００は、距離Ａと距離Ｂに基づいて瞳孔間距離ＰＤを求めることができる。なお、他眼の距離Ｂについて、撮像光学系２００の光軸よりも測定眼に近い位置に他眼が検出された場合、距離Ａに対して距離Ｂが差し引かれる。一方、撮像光学系２００の光軸よりも測定眼に遠い位置に他眼が検出された場合、距離Ａに対して距離Ｂが加算される。
【００５３】
以上示したように、位置検出センサからの検出結果と、他眼を撮像する撮像素子からの撮像結果を用いることによって、両眼カメラを必ずしも設けなくとも、瞳孔間距離を測定できる。
【００５４】
また、本実施形態においては、検査窓を覗きこむことによって被検眼に対するラフなアライメントが行われる構成であるので、左右眼の位置が装置に対して変動しやすい。そこで、位置検出センサからの検出結果と撮像素子からの撮像結果を用いることによって、上記状況であっても、両眼の位置が適正に検出され、瞳孔間距離を適正に測定できる。
【００５５】
撮像素子５２と撮像素子２０２を用いて左右眼の判別するようにしてもよい（これらの位置関係は既知）。また、撮像素子５２からの撮像信号に基づいて測定眼の位置を検出し、撮像素子２０２との撮像信号に基づいて他眼の位置を検出し、これらの検出結果に基づいて瞳孔間距離を測定するようにしてもよい。
【００５６】
なお、上記説明においては、撮像光学系２００の光軸の位置を基準としたが、これに限定されず、例えば、被検者の左右方向に関して、何らかの基準位置が設定されればよい。つまり、測定部３と撮像光学系２００との相対的な位置関係が予め求めていれば、双方の検出結果を関連付け、瞳孔間距離を測定できる。
【００５７】
例えば、測定部３の初期位置を基準としてもよい。この場合、制御部１００は、測定部３の位置を取得することによって初期位置に対する測定眼の距離Ｃを求めることができる。さらに、制御部１００は、撮像光軸Ｌ２００に対する他眼の距離Ｄを求めることができる。ここで、測定部３の初期位置と撮像光学系２００の光軸との距離Ｅは、予め求められ、メモリ１０５に予め記憶される。そこで、制御部は、距離Ｃ、距離Ｄ、距離Ｅに基づいて瞳孔間距離を求めることができる。
【００５８】
なお、位置検出センサからの検出結果と撮像素子からの撮像結果を得る場合、アライメント完了をトリガとして、位置検出センサからの検出結果を得ると同時に、他眼を撮像するようにしてもよい。被検者が動くことによる測定結果のずれを防止できる。
【００５９】
なお、上記説明においては、検査窓を覗く被検眼の前眼部からの反射光を用いて、被検眼からの反射光を検出したが、これに限定されない。例えば、検査窓を覗く被検眼の眼底からの反射光を用いて、被検眼からの反射光を検出してもよい。例えば、制御部は、測定光学系からの測定光束を予め投光し、眼底からの測定光束が撮像素子２２に受光されたことをトリガとして、被検眼に対する自動アライメントを作動させると共に、測定光学系による眼屈折力の仮測定及び固視位置制御を開始してもよい。
【００６０】
なお、固視標呈示光学系３０は、固視光束の光束径が互いに異なる複数の固視標を備えるようにしてもよい。固視標呈示光学系３０、例えば、測定光学系１０の光軸方向から限定された光束径によって形成される第１の固視標を被検眼に投影する第１投影光学系と、第１投影光学系よりも大きい光束径によって形成される第２の固視標を被検眼に投影する第２投影光学系と、を備えてもよい。第１の固視標を形成するために構成としては、例えば、固視光束を制限するための絞りが光路中に配置される。また、レーザ光源が用いられてもよい。また、第２の固視標としては、所定の絵柄（図形、文字、マークであってもおい）を形成するための構成（例えば、視標板、ディスプレイ等）が用いられる。さらに、制御部１００は、固視標呈示光学系３０を制御し、第１の固視標から第２の固視標に切り換えるようにしてもよい。例えば、制御部１００は、眼の反射が検出されたこと、或いはアライメント完了信号をトリガとして、固視標を切り換える。これによって、被検眼の固視動作をスムーズに行うができる。
【００６１】
なお、上記構成においては、測定光学系１０として、被検眼の眼屈折力を他覚的に測定するための光学系を用いたが、これに限定されず、被検眼を検眼するための光学系であれば、本実施形態の適用は可能である。
【符号の説明】
【００６２】
２  検査窓
３  測定部
１０  測定光学系
３０  固視標呈示光学系
５０  観察光学系
１００  制御部
２００  他眼撮像光学系
４００  位置検出センサ
【図１】
2016129499.tif 000003
【図２】
2016129499.tif 000004
【図３】
2016129499.tif 000005
【図４】
2016129499.tif 000006
【国際調査報告】
2016129499.tif 000007
2016129499.tif 000008
2016129499.tif 000009
2016129499.tif 000010
2016129499.tif 000011
2016129499.tif 000012
2016129499.tif 000013
2016129499.tif 000014